(57)【要約】      （修正有）【課題】切断用の糸により容易に開封できるとともに、切断用の色糸により強い印象を与えることができる封筒を提供する。【解決手段】開封しようとする封筒１の一辺に形成されている開口を封止する封止片の折曲線に、複数の切断用孔が穿孔されるとともに黒又は有彩色の中から選択された切断用の色糸７の両端が折曲線の両端の隅部で止着されて張設され、切断用の色糸７の止着箇所を含む少なくとも一カ所の前記隅部に複数の切除用孔が穿孔されて封筒１から切除できる切除片５が形成され、切除片５が切除用孔に沿って破断されて封筒１から切除された後、さらに切断用の色糸７が折曲線の切断用孔に沿って引き上げられて切断用孔が切断されて開封される封筒。【選択図】図３
0003156533.tif 000002
【実用新案登録請求の範囲】
【請求項１】
開封しようとする封筒の一辺に形成されている開口を封止する封止片の折曲線に、複数の切断用孔が穿孔されるとともに黒又は有彩色の中から選択された切断用の色糸の両端が前記折曲線の両端の隅部で止着されて張設され、
前記切断用の色糸の止着箇所を含む少なくとも一カ所の前記隅部に複数の切除用孔が穿孔されて封筒から切除できる切除片が形成され、
前記切除片が前記切除用孔に沿って破断されて封筒から切除された後、さらに前記切断用の色糸が前記折曲線の前記切断用孔に沿って引き上げられて前記切断用孔が切断されて開封されることを特徴とする封筒。
【請求項２】
前記切断用の色糸が赤色であることを特徴とする請求項１記載の封筒。
【考案の詳細な説明】
【技術分野】
【０００１】
本考案は、封筒を開封する際にカッターやはさみ等の道具を用いることなく、封筒の切除片を分断穴に沿って封筒から破断した後、切除片につながっている切断用の色糸で封筒の一辺の折り目に沿って切断することで容易に開封できる封筒に関する。
【背景技術】
【０００２】
結婚式、披露宴、誕生パーティー、祝賀会などの各種の祝いなどの慶事、あるいはクリスマスパーティーなどのお知らせや招待状などを封筒に入れて送るのに各種の封筒が使用されている。
【０００３】
例えば、特許文献１には、封筒の表面に金色で寿の文字を箔押したりあるいは型押ししたりした祝儀用の封筒が開示されている。
【０００４】
また、特許文献２には、封筒を開封する際に、カッターやはさみなどの道具を用いることなしに容易に開封できる封筒が開示されている。前記特許文献２に記載された封筒は、封筒の一辺の折り目にミシン目で複数の切断穴を形成し、折り目の内側に沿って引張強度の高い線材又は細幅のテープを張り渡し、同線材又は細幅のテープの両端を折り目の内側隅部で止着し、同止着箇所を含む封筒隅部が封筒から分断できるようにする複数の分断穴を設けて切除片を形成し、この切除片を分断穴に沿って破断させて封筒から分断した後、さらに線材又は細幅のテープで封筒の一辺を、切断穴を形成した折り目に沿って切断することで開封できるようにした封筒が開示されている。前記封筒において、線材としては綿や麻等の切断用糸、釣切断用糸等のプラスチック、金属製のワイヤーなどが用いられ、封筒を容易に切断できる。
【先行技術文献】
【特許文献】
【０００５】
【特許文献１】実用新案登録第３０７２７９１号明細書
【特許文献２】特許第４０３９５７３号明細書
【考案の概要】
【考案が解決しようとする課題】
【０００６】
結婚式あるいは披露宴などの慶事のお知らせや招待状などを送るのに使用される封筒は、通常は、利用者があらかじめ用意されている複数の封筒のうちから好みに応じて選択するようになっている。
【０００７】
しかしながら、前記特許文献１に記載された封筒は、結婚式あるいは披露宴の招待状を送るのに使用されている変わり映えのしない一般的なものである。
【０００８】
また、前記特許文献２記載の封筒においては、線材としては綿や麻等の糸、釣糸等のプラスチック、金属製のワイヤーなどが用いられ、線材を引き上げながら開封することができるので、その開封し易さから通常の封筒に比べて利便性の点で目立つ。
【０００９】
しかしながら、前記特許文献１及び２に記載されているいずれの封筒も、全体的なデザインに大きな違いはなく、また見慣れているせいもあるので、封筒の中身を強く印象づけるものではなかった。
【００１０】
そこで、本考案は、切断用の糸により容易に開封できるとともに、切断用の色糸により強い印象を与えることができる封筒を提供するものである。
【課題を解決するための手段】
【００１１】
本考案の封筒は、開封しようとする封筒の一辺に形成されている開口を封止する封止片の折曲線に、複数の切断用孔が穿孔されるとともに黒又は有彩色の中から選択された切断用の色糸の両端が前記折曲線の両端の隅部で止着されて張設され、前記切断用の色糸の止着箇所を含む少なくとも一カ所の前記隅部に複数の切除用孔が穿孔されて封筒から切除できる切除片が形成され、前記切除片が前記切除用孔に沿って破断されて封筒から切除された後、さらに前記切断用の色糸が前記折曲線の前記切断用孔に沿って引き上げられて前記切断用孔が切断されて開封されることを特徴とする。
【００１２】
前記構成において、切断用の色糸が赤色で、婚礼用に使用される封筒であることを特徴とする。
【考案の効果】
【００１３】
本考案の封筒は、開封する際に、切断用の色糸が気持よくスムーズに引き上げられて色糸の色が徐々に長くなって目に入ってくるため、強く印象づけられる。例えば、婚礼用に使用する封筒に赤色の色糸を使用すると、男女を結びつける赤い糸の言葉が連想されて婚礼について興味がわいてくる。
【図面の簡単な説明】
【００１４】
【図１】（ａ）は本考案の封筒の正面図、（ｂ）は同背面図である。
【図２】本考案の封筒の封止前の状態を示す正面図である。
【図３】本考案の封筒の切除片を切除した状態を示す図である。
【図４】開封した状態を示す図である。
【考案を実施するための形態】
【００１５】
本考案の実施例について図面を参照しながら説明する。
【実施例】
【００１６】
図１及び図２において、封筒１は、従来の封筒と同様に、紙、ビニルなどを単体又は積層して複合したシートを折り畳んで四角形に形成される。
【００１７】
封筒１の四辺のうち、開封しようとする辺には、折り曲げにより封筒１の開口を封止するための封止片２が形成されている。封止片２の折曲線３に沿ってミシン目などにより複数の切断用孔４が間隔をおいて連続的に形成されている。折曲線３の切断用孔４は後述する切断用の色糸７によって切断され、開封される。
【００１８】
封筒の開封しようとする辺の一方の端の隅部あるいは両端の隅部には、封筒１から切除可能な切除片５が形成される。切除片５は、ミシン目などにより複数の切除用孔６を、間隔をおいて直線状あるいは円弧状に連続的に穿孔して形成する。切除用孔６は、図２に示すように、封止片２を開いた状態で封筒１と封止片２とに穿孔し、封止片２を封筒１側に折り曲げて封止した状態では、封筒１と封止片２の切除用孔６が重なり合って切除片５が切除可能に形成される。
【００１９】
切除用孔６を直線状あるいは円弧状に連続的に形成するとともに、切除片５の分断方向を示す矢印を、切除用孔６を跨ぐように又はその近傍に形成してもよい。また、切除用孔６は封筒の袋地の色や模様と異なる色彩を施すことにより、切除方向の目印となり分かり易くなる。
【００２０】
折曲線３の内側に沿って切断用の色糸７を張設し、切断用糸７の両端を折曲線３の両端の隅部に止着する。これにより、切断用糸７の一方の端あるいは両端が隅部に形成されている切除片５に止着されることになる。切断用の色糸７は、綿や麻等の糸、釣糸などのプラスチック、金属製のワイヤーなど切断用孔４を切断するのに十分な引張強度を有する糸を使用する。
【００２１】
切断用の色糸７は、赤、黄、緑、青、紫のような有彩色あるいは黒の中から好みや用途に応じて選択された色糸を使用する。例えば、婚礼用の封筒に赤い切断用糸を使用すれば、開封の際に赤い糸が目に見に入り、結婚に関連して男女が赤い糸で結ばれるという言葉を連想させて封筒の中身を印象づけることができる。また、会社のイメージカラーと同じ色糸を使用することにより、会社のイメージを強く印象づけることができる。
【００２２】
本考案の封筒の開封手順について説明する。
【００２３】
開封時は、図３に示すように、まず封筒１の隅部に形成されている切除片５を掴んで切除用孔６に沿って破断して封筒１から切除する。
【００２４】
次に、図４に示すように切除した切除片５を封筒１の対向する隅部に向けて引っ張ることにより、切断用の色糸７が切断用孔４に沿って封止片２の折曲線を切断していく。そして、切除片５を末端まで引っ張って封止片２の折曲線全部を切断して開封されて中から郵便物８が取り出せる。
【符号の説明】
【００２５】
１：封筒              ２：封止片
３：折曲線            ４：切断用孔
５：切除片            ６：切除用孔
７：切断用の色糸      ８：郵便物
【図１】
0003156533.tif 000003
【図２】
0003156533.tif 000004
【図３】
0003156533.tif 000005
【図４】
0003156533.tif 000006